(57)【特許請求の範囲】
【請求項１】
光透過性でかつ可撓性を有するフィルム状の一枚の導光シートにスリットが設けられ、そのスリットによって第１の導光体と第２の導光体に隔離されており、上記スリット位置における上記第１の導光体と上記第２の導光体との間の遮光手段として、上記スリット位置に応じた上記第１の導光体と上記第２の導光体の端面にインクが塗布あるいは上記スリット内にインクが充填されて遮光手段が構成されている導光シートを用いて構成される可動接点体の製造方法であって、
ベースシートの下方に導電金属薄板製の可動接点を挟むようにセパレータを貼り付ける第１の工程と、上記ベースシートに上記可動接点が保持されている状態で、上記ベースシート上に一枚の導光シートを配し、その後、この導光シートを上記第１の導光体と上記第２の導光体に隔離する第２の工程とを有する可動接点体の製造方法。
【発明の詳細な説明】
【技術分野】
【０００１】
本発明は、各種電子機器に使用される導光シート及び可動接点体及びスイッチに関し、特に、可動接点体の製造方法に関する。
【背景技術】
【０００２】
近年、各種電子機器、特に携帯電話等の携帯端末機器においては、周囲が暗い場合でも、押ボタン等の操作が容易に行えるように、操作部の照光を行うものが増えており、それと共に、機器の使用者に通話者などの情報を伝えるために、多様な照光が可能な導光シートやこれを用いた可動接点体などが求められている。
【０００３】
このような従来のスイッチについて、図９および図１０を用いて説明する。
【０００４】
なお、これらの図面のうち断面図は、構成を判り易くするために、厚さ方向の寸法を拡大して表している。
【０００５】
図９は従来のスイッチの断面図であり、同図において、４は可動接点で、複数のドット状の照光部１Ａが上面に形成された光透過性でかつ可撓性を有するフィルム状の導光シート１と、接着剤（図示せず）によって外周の所定箇所を導光シート１の下面に貼り付けられたフィルム状のベースシート２と、ベースシート２の下面で照光部１Ａの下方に貼り付けられた略ドーム状の導電金属薄板製の可動接点３により構成されている。
【０００６】
また、５は配線基板で、その上面には、略円形状の中央固定接点６Ａと、これを囲む略馬蹄状または略リング状の外側固定接点６Ｂから構成される固定接点６と、７で示す発光ダイオード等の発光素子とが配置され、上下面に複数の配線パターン（図示せず）が形成される。
【０００７】
また、１５はスイッチで、可動接点３の外周が外側固定接点６Ｂ上となり、可動接点３の下面中央が中央固定接点６Ａと所定の間隙を空けて対向する位置となるよう、可動接点体４を配線基板５の上面に貼りあわせて構成される。
【０００８】
そして、このように構成されたスイッチ１５が例えば図１０に示すように、二つ折り携帯電話５０において、複数のダイアルボタン５５と操作ボタン５６とマイク５７が配置された固定筐体５１に電子回路（図示せず）に接続され内蔵されると共に、固定筐体５１は、スピーカー５３と表示手段５４を設けた可動筐体５２と回動可能に連結される。
【０００９】
ここで、図９において、ダイアルボタン５５は、透光部５５Ａと、ダイアルボタン５５の上面を覆う遮光部５５Ｂと、透光部５５Ａが文字や記号等の形状に露出した表示部５５Ｃから構成される。
【００１０】
また、操作ボタン５６は、リング状操作部５８と円形操作部５９から構成されており、ここでリング状操作部５８は、透光部５８Ａと、透光部５８Ａと接する遮光部５８Ｂとから構成され、また、円形操作部５９は、透光部５９Ａと、透光部５９Ａと接する遮光部５９Ｂから構成されている。
【００１１】
以上の構成において、ダイアルボタン５５または、操作ボタン５６を構成するリング状操作部５８又は円形操作部５９を押圧すると、それぞれの透光部５５Ａ、５８Ａ、５９Ａの下端により導光シート１上面が押圧され、それに伴い可動接点３の略ドーム状の中央部が押圧され、さらに、所定の押圧力が加わると、可動接点３が下方へ弾性反転し、可動接点３の下面中央が中央固定接点６Ａに接触し、電気的に接続された状態となる。
【００１２】
逆に、ダイアルボタン５５または操作ボタン５６への押圧力を解除すると、弾性復帰力によって可動接点３が上方へ弾性反転し、可動接点３の下面中央が中央固定接点６Ａから離れて、中央固定接点６Ａと外側固定接点６Ｂが電気的に切断された状態となる。
【００１３】
そして、このような固定接点６の電気的接離に応じて、機器の各機能の切換えが行われると共に、機器の電子回路（図示せず）から発光素子７に電源が供給され、発光素子７が発光する。
【００１４】
ここで、発光した光は導光シート１の右端側面から入射して、導光シート１内を反射しながら左方へ進み、光の一部は照光部１Ａにより乱反射し、照光部１Ａ上方へ拡散され、ダイアルボタン５５、リング状操作部５８、円形操作部５９の各透光部５５Ａ、５８Ａ、５９Ａを光が通り上方へ拡散されることにより、ダイアルボタン５５、リング状操作部５８、円形操作部５９の上面が照光されるものである。
【００１５】
つまり、図１０の二つ折り携帯電話５０において、スピーカー５３とマイク５７を用いて通話を行った際、固定筐体５１に内蔵された発光素子（図示せず）は電子回路（図示せず）によって電源が供給され発光し、それによってダイアルボタン５５、リング状操作部５８、円形操作部５９の上面が同時に照光されることとなる。
【００１６】
また、表示手段５４は、例えば携帯電話の各種設定メニュー（図示せず）などを表示することを可能としているが、表示手段５４に表示された設定メニューに従って、使用者が、リング状操作部５８および円形操作部５９を操作した場合にも、電子回路（図示せず）により、リング状操作部５８、円形操作部５９、ダイアルボタン５５が同時に照光され、夜間などにおいて、見やすく、ダイアルボタン５５等の操作がしやすい携帯電話を提供できるものであった。
【００１７】
なお、この出願の発明に関連する先行技術文献情報としては、例えば、特許文献１が知られている。
【特許文献１】特開２００７−８７７４９号公報
【発明の開示】
【発明が解決しようとする課題】
【００１８】
しかしながら、上記従来のスイッチにおいては、スイッチ１５は固定筐体５１に内蔵され、発光素子７から発した光はダイアルボタン５５と操作ボタン５６の全ての上面を同時に照光させるので、例えばダイアルボタン５５と操作ボタン５６を異なるタイミングで発光させるといった、多様な照光が困難であるという課題があった。
【００１９】
本発明は、このような従来の課題を解決するものであり、簡易な構成で、多様な照光が可能な導光シート及びスイッチを提供することを目的とする。
【課題を解決するための手段】
【００２０】
上記目的を達成するために本発明は、光透過性でかつ可撓性を有するフィルム状の一枚の導光シートにスリットが設けられ、そのスリットによって第１の導光体と第２の導光体に隔離されており、上記スリット位置における上記第１の導光体と上記第２の導光体との間の遮光手段として、上記スリット位置に応じた上記第１の導光体と上記第２の導光体の端面にインクが塗布あるいは上記スリット内にインクが充填されて遮光手段が構成されている導光シートを用いて構成される可動接点体の製造方法であって、ベースシートの下方に導電金属薄板製の可動接点を挟むようにセパレータを貼り付ける第１の工程と、上記ベースシートに上記可動接点が保持されている状態で、上記ベースシート上に一枚の導光シートを配し、その後、この導光シートを上記第１の導光体と上記第２の導光体に隔離する第２の工程とを有する可動接点体の製造方法とするものである。これであれば、一枚の導光シートから隔離形成された第１の導光体と第２の導光体がベースシート上に配された構成の可動接点体を容易に生産することができる。
【発明の効果】
【００２６】
以上のように本発明によれば、一枚の導光シートから隔離形成された第１の導光体と第２の導光体がベースシート上に配された構成の可動接点体を容易に生産することができ、その可動接点体は、簡易な構成で、多様な照光が可能なものとして提供できるという有利な効果が得られる。
【発明を実施するための最良の形態】
【００２７】
以下、本発明の実施の形態について、図面を用いて説明する。
【００２８】
なお、構成を判り易くするために、図面のうち断面図は厚さ方向の寸法を拡大して表している。
【００２９】
また、背景技術の項で説明した構成と同一構成の部分には同一符号を付して、詳細な説明を簡略化する。
【００３０】
（実施の形態１）
【００３１】
図１は第１の実施の形態における導光シートを用いたスイッチの断面図、図２は同導光シートの斜視図である。
【００３２】
同図において、３５は導光シートで、２１で示すポリエチレンテレフタレートやポリカーボネート、ウレタン、シリコーン等を材料とする絶縁性の第１の導光体と、２２で示す第２の導光体により構成され、また第１の導光体２１と第２の導光体２２が繋がらないようにして２４で示すスリットが設けられる。
【００３３】
ここで、第１の導光体２１および第２の導光体２２の上面には、２３で示す複数のインクなどの印刷により形成されたドット状の凹凸からなる照光部と、また２５で示すインクなどの印刷により形成されたドット状の凹凸からなる減衰部が設けられ、この減衰部２５とスリット２４によって遮光手段を構成するものとなっている。
【００３４】
ここで、スリット２４は略コの字形状に形成され、矩形の第１の導光体２１の３方向が、第２の導光体２２の凹状に窪んだ部分の三辺に面するように配置されており、また減衰部２５は第１の導光体２１と第２の導光体２２の上面でスリット２４の近傍に設けられる。
【００３５】
また、３６は可動接点体で、接着剤（図示せず）によって外周の所定箇所を上記導光シート３５の下面に貼り付けられるフィルム状のベースシート２と、ベースシート２の下面で照光部２３の位置に貼り付けられる略ドーム状の導電金属薄板製の可動接点３により構成される。
【００３６】
さらに、５は、複数の固定接点６と発光素子２７、２８が上面に配置され、かつ上下面に複数の配線パターン（図示せず）が形成される配線基板で、ここで、固定接点６は略円形状の中央固定接点６Ａと、これを囲む略馬蹄状または略リング状の外側固定接点６Ｂから構成されるものであり、第１の発光素子２７は、第１の発光シート２１に対し発光面を向けて端部に接する位置に、第２の発光素子２８は、第２の発光シート２２に対し発光面を向けて端部で接する位置に配線基板上に配置されるものである。
【００３７】
また４０は、可動接点体３６を構成している可動接点３の外周が配線基板５上面の外側固定接点６Ｂ上となり、可動接点３の下面中央が中央固定接点６Ａと所定の間隙を空けて対向するように、固定接点６と発光素子２７、２８を配置した配線基板５の上面に、可動接点体３６を貼りあわせて構成されるスイッチである。
【００３８】
そして、このように構成されたスイッチ４０が、例えば、図３に示す本発明を使用した携帯電話の斜視図においては、ダイアルボタン５５と、操作ボタン５６とマイク５７が備えられた二つ折り携帯電話４５の固定筐体５１に内蔵され、第１の導光体が４１で示す点線の位置となり、第２の導光体が４２で示す点線の位置となるように配置されると共に、中央固定接点６Ａや外側固定接点６Ｂ、発光素子２７、２８が配線パターンを介して、機器の電子回路（図示せず）に電気的に接続されると共に、固定筐体５１は、５２で示すスピーカー５３と表示手段５４を固定筐体５１と接する面に備えた可動筐体と折りたたみが可能なように連結されている。
【００３９】
なお、５５はダイアルボタンで、図１において５５Ａで示す下端が可動接点３中央部に位置し、かつ導光シート１上面に当接される透光部と、５５Ｂで示すダイアルボタン５５の上面を覆う遮光部と、５５Ｃで示す透光部５５Ａが文字や記号等の形状に露出した表示部から構成される。
【００４０】
また、５６は操作ボタンで、５８で示す略リング状で前後左右に揺動可能なリング状操作部と、５９で示すリング状操作部５８の中央孔内で上下動可能な円形操作部から構成される。
【００４１】
ここで、リング状操作部５８は５８Ａで示す下端が可動接点３中央部の導光シート１上面に当接している透光部と、５８Ｂで示す透光部５８Ａと接する遮光部から構成されるもので、また円形操作部５９は、５９Ａで示す下端が可動接点３中央部の導光シート１上面に当接する透光部と、５９Ｂで示す透光部５９Ａと接する遮光部から構成される。
【００４２】
以上の構成において、ダイアルボタン５５を下方へ押圧すると、当該箇所の透光部５５Ａの下端が導光シート１上面を押圧し、それによって、導光シート１やベースシート２が撓んで可動接点３の略ドーム状の中央部が押圧され、さらに、所定の押圧力が加わると、可動接点３がクリック感を伴って下方へ弾性反転し、可動接点３の下面中央が中央固定接点６Ａに接触することで、中央固定接点６Ａと外側固定接点６Ｂが、可動接点３を介して電気的に接続された状態となる。
【００４３】
次に、ダイアルボタン５５への押圧力を解除すると、弾性復帰力によって可動接点３が上方へ弾性反転し、可動接点３の下面中央が中央固定接点６Ａから離れて、中央固定接点６Ａと外側固定接点６Ｂが電気的に切断された状態となる。
【００４４】
同様に、リング状操作部５８において、リング状操作部５８の外縁を前後左右いずれかの方向に押圧すると、押圧した方向に対応する可動接点３を介して、中央固定接点６Ａと外側固定接点６Ｂが、電気的に接続された状態となり、逆にリング状操作部５８への押圧力を解除した場合は、中央固定接点６Ａと外側固定接点６Ｂが電気的に切断された状態となり、また円形操作部５９を押圧した場合も、同様に、中央固定接点６Ａと外側固定接点６Ｂが、可動接点３を介して電気的に接続された状態となり、一方、押圧を解除した場合は、中央固定接点６Ａと外側固定接点６Ｂが電気的に切断された状態となる。
【００４５】
ここで、中央固定接点６Ａと外側固定接点６Ｂが電気的に接続あるいは切断された状態を電子回路（図示せず）で検出すると共に、当該電子回路により、図１で示す第１の発光素子２７あるいは第２の発光素子２８に電源が供給される。
【００４６】
この第１の発光素子２７が発光するよう電源が供給されると、第１の発光素子２７から発した光は第１の導光体２１の右端から入射されて、導光体２１内を反射しながら左方へ進み、この光が導光体２１上面の照光部２３で拡散され反射して、リング状操作部５８の透光部５８Ａおよび円形操作部５９の透光部５９Ａを光が通過し、リング状操作部５８および円形操作部５９の上面を下方から照光するものである。
【００４７】
次に、第１の導光体２１内を左方に進む光は、スリット２４近傍においては減衰部２５として、第１の導光体２１上面に凹凸が設けられているため、これにより光が拡散し、この減衰部２５上面からは外部へ光が拡散し反射され、第１の導光体２１右端から入射された光は減衰される。
【００４８】
このように第１の発光素子２７が発した光は減衰されるため、導光体２１の左側の端部からは殆ど光が漏れることは無いが、さらにスリット２４が設けられているため、導光体２１の左側の端部からわずかな光が漏洩したとしても、この光は空気中で散乱し、導光体２２の端面から入射する光を防ぐことができる。
【００４９】
また、一方、電子回路（図示せず）により、第２の発光素子２８に対し、電源が供給され、第２の発光素子２８が発光した場合においても、同様に、第２の導光体２２左端から入射された光は、第２の導光体２２内に入射して、導光体２２内を反射しながら右方へ進み、導光体２１上面の照光部２３で拡散され反射して、透光部５５Ａを下方から照光し、照光部２３で光が反射拡散するため、第２の発光素子２８が発した光は減衰される。
【００５０】
さらに、第２の導光体２２内を進む光は複数の照光部２３で拡散された後、右端近傍の減衰部２５で拡散し反射するため、第２の発光素子２８の右端から漏洩する光を殆ど無くすことが出来るものであり、たとえ導光体２２の右側の端部からわずかな光が漏洩したとしても、スリット２４で光が空気中に拡散するため、第１の導光体２１内に入射する光を防ぐことが出来る。
【００５１】
したがって、第１の発光素子２７が発光している間は第２の導光体２２へ光が漏洩することを防ぐことができ、また、第２の発光素子２８が発光している間は第１の導光体２１へ光が漏洩することを防ぐことができるため、第１の発光素子２７が発光している間は第２の導光体２２側のダイアルボタン５５上面が照光されることを避けることができ、一方、第２の発光素子２８が発光している間は第１の導光体２１側の操作ボタン５６の上面が照光されることを避けることが出来る。
【００５２】
つまり、発光素子２７、２８から発した光を当該遮蔽部により十分に減衰し、発光素子２７が発した光によりダイアルボタン５５の上面が照光されることを避け、発光素子２８が発した光により操作ボタン５６の上面が照光されることを避けるために、スリット２４と減衰部２５で遮蔽部が構成されている。
【００５３】
さらに、例えば、第１の発光素子２７が赤色で、第２の発光素子２８が白色の発光素子を用い発光させたとしても、第１の導光体２１および第２の導光体２２内で、それぞれの光が混ざることが無いように構成することが可能になるという効果も有する。
【００５４】
このような本発明のスイッチを例えば携帯電話に用いた場合、図３の二つ折り携帯電話４５において、操作ボタン５６を操作すると、例えば赤色の第１の発光素子２７が発光し、発した光は第１の導光体２１内を導光し、照光部２３により拡散され、操作ボタン５６を赤色に照光する。
【００５５】
また、ダイアルボタン５５を操作すると、例えば白色の第２の発光素子２８が発光し、発した光は第１の導光体２１内を導光し、同様に照光部２３により拡散された光により、ダイアルボタン５５が白色に照光される。
【００５６】
ここで、操作ボタン５６とダイアルボタン５５の照光は、お互いが影響せず、異なる導光体の光が漏洩して使用者に見えることも無く、また光が混合して見えることも無いため、操作ボタン５６とダイアルボタン５５の多様な照光を実現できるものである。
【００５７】
なお、上記の説明において、減衰部２５および照光部２３は、第１の導光体２１および第２の導光体２２の上面に有るものとして説明したが、下面に設けても良く、これによれば、下面に設けた場合においても減衰部２５および照光部２３の位置で、光は反射し拡散し、上面に設けた場合と同様に導光体２１と導光体２２の間で光を遮断する効果が得られる。
【００５８】
なお、遮光部としては、スリット２４のみもしくは減衰部２５のみでも第１の導光体２１と第２の導光体２２との間で光を遮断する効果を得ることができるが、これらを併用することで、さらに効果的に、第１の導光体２１と第２の導光体２２との間で光を遮断することができる。
【００５９】
また、以上の説明では、第１の導光体２１と第２の導光体２２の端面周辺の減衰部２５は、印刷により形成するものとして説明したが、減衰部２５を構成する凹凸は、端面周辺を凹凸が設けられた金属製の型などで押圧して、プレス加工することにより作成しても本発明の実施は可能である。
【００６０】
さらに、以上の説明では、第１の導光体２１と第２の導光体２２の間に略コの字形状のスリット２４を設けたものとして説明したが、スリット２４の形状は略コの字形状に限定されるものではなく、第１の導光体２１と第２の導光体２２が共に矩形で離間して配置され、その間にスリット２４が形成される等の構成としても本発明の実施は可能である。
【００６１】
このように本実施の形態によれば、光透過性の第１の導光体と、光透過性の第２の導光体との間にスリット２４や減衰部２５等の遮光手段を設けることによって、他方の導光体の照光部で各導光体から漏洩した光により照光することなく、第１の導光体と第２の導光体の照光部を異なるタイミングで照光することができ、また、第１の導光体と第２の導光体それぞれを照光する発光素子が発光する色を異なる色とした場合でも、それぞれの色が混合されることが無いため、簡易な構成で、多様な照光が可能な導光シートおよび当該導光シートの使用に適した可動接点体およびスイッチを提供し得るものである。
【００６２】
（実施の形態２）
【００６３】
実施の形態２を用いて、本発明の他の実施の形態について説明する。
【００６４】
なお、実施の形態１の構成と同一構成の部分には同一符号を付して、詳細な説明を省略する。
【００６５】
図４は本発明の第２の実施の形態による導光シートを用いたスイッチの断面図であり、同図において、６５は導光シートで、６１で示すポリエチレンテレフタレートやポリカーボネート、ウレタン、シリコーン等を材料とする第１の導光体と、６２で示す第２の導光体により構成され、また第１の導光体６１と第２の導光体６２上面には２３で示すドット状の凹凸からなる照光部が設けられる点は実施の形態１の場合と同様である。
【００６６】
また、実施の形態１と同様に６６で示す可動接点体において、接着剤（図示せず）によって外周の所定箇所を上記導光シート６５の下面に貼り付けられるフィルム状のベースシート２と、ベースシート２の下面で照光部２３の位置に貼り付けられる略ドーム状の導電金属薄板製の可動接点３を有している。
【００６７】
しかしながら、実施の形態１では、遮光手段としてスリット２４及び減衰部２５を設けていたのに代えて、本実施の形態では、第１の導光体６１および第２の導光体６２の間に、６３で示すインクなどを充填して設けられたインク充填部を遮光手段とする点で異なる。
【００６８】
このインク充填部６３に充填するインクはポリエステル等に酸化チタンやカーボン等を分散したもので、例えば、酸化チタンを分散した白色のインクを用いた場合、白色は光を反射する効果があり、カーボンを分散した黒色のインクを用いた場合、黒色は光を吸収する効果があるので適している。
【００６９】
また、配線基板５は、上面に略円形状の中央固定接点６Ａと、これを囲む略馬蹄状または略リング状の外側固定接点６Ｂから構成される固定接点６と、第１の発光素子２７と第２の発光素子２８が配置され、かつ上下面に複数の配線パターン（図示せず）が形成された点は実施の形態１と同様である。
【００７０】
また、実施の形態１と同様に、可動接点体６６を構成している可動接点３の外周が配線基板５上面の外側固定接点６Ｂ上で、可動接点３の下面中央が中央固定接点６Ａと所定の間隙を空けて対向する位置に、可動接点体４を固定接点６と発光素子７を配置した配線基板５の上面に貼りあわされ、スイッチ７０が構成されている。
【００７１】
このスイッチ７０は、例えば図３で示すように二つ折り携帯電話４５の固定筐体５１内に電子回路（図示せず）に電気的に接続され配置されるが、実施の形態１と同様であるので詳細な説明は省略する。
【００７２】
このように構成された可動接点体６６及びスイッチ７０の製造方法について図５〜図７を用いて説明する。
【００７３】
まず、スクリーン印刷によって、ポリエチレンテレフタレート等を材料とする絶縁性のシートに、粘着層７１を印刷する。そして、外形を切り抜くことにより、ベースシート２Ａを形成し、その下面に形成された粘着層に可動接点３を挟むように、ポリエチレンテレフタレート等を材料とするセパレータ７２Ａを粘着保持させ、一次仕掛品７３を作成する。
【００７４】
次に、図５（ａ）に示すように、プレス台７４上に１ｍｍ程度の厚みのゴム板７５を敷き、その上に一次仕掛品７３を配置し、その上から型７６を用いて加熱圧着し、その後、図５（ｂ）に示すように、加熱圧着したベースシート２Ｂ上に第１の導光体７７Ａと第２の導光体７７Ｂをインク充填用の溝部８４を設けるように、所定箇所を接着剤（図示せず）により接着し、これを二次仕掛品８０とする。
【００７５】
その後、この二次仕掛品８０の溝部８４に、ディスペンサ等を用いてインクを充填してインク充填部６３を形成し、これによりセパレータ７２を付けた本発明の可動接点体６６が製造される。
【００７６】
この可動接点体６６は図６で示すように、セパレータ７２上に複数枚を並べて粘着配置されるものであり、インク充填部６３は第１の導光体６１と第２の導光体６２の間に略コの字形状で設けられ、可動接点３上にはそれぞれ照光部２３が形成される。
【００７７】
この可動接点体６６をセパレータ７２から剥がし、図４で示すように可動接点体６６を構成している可動接点３の外周が配線基板５上面の外側固定接点６Ｂ上となり、可動接点３の下面中央が中央固定接点６Ａと所定の間隙を空けて対向するように、固定接点６と発光素子２７、２８を配置した配線基板５の上面に、可動接点体６６を貼りあわせ、スイッチ７０を製造する。
【００７８】
なお、二次仕掛品８０の製造方法として上記では、ベースシート２Ｂ上に第１の導光体７７Ａと第２の導光体７７Ｂを接着し作成するものとして説明したが、図７で示すようにベースシート２Ｂ上に一枚の導光シート７７を配置し、樹脂製等の基材８１に溝を掘り溝の形状に曲げた金属刃８２をはめ込んだ型８３により、Ａの位置およびＢの位置で導光シート７７の下面まで切断し、Ａ−Ｂ間の導光シートを離隔することにより、ベースシート２Ｂ上に、第１の導光体７７Ａと、第２の導光体７７Ｂと、インク充填用の溝部８４を形成するものとしても良い。
【００７９】
また、上述の製造方法の説明においてインク充填部６３のインクはディスペンサを用いて充填するものとして説明したが、充填する方法はこれに限られるものではなく、インクジェット方式により、ノズルを用いてベースシート２Ｂ上面から溝部８４に対してインクを吹き付けて、溝部８４をインクで充填し、インク充填部６３を構成するものとしても良く、これによれば、ディスペンサを用いてインク充填部６３を形成したのと同様の効果が得られると共に、それに加え、インク充填部６３を高速に形成することが可能となる効果が得られる。
【００８０】
以上の構成において、ダイアルボタン５５または操作ボタン５６を構成するリング状操作部５８又は円形操作部５９を押圧すると、それぞれの透光部５５Ａ、５８Ａ、５９Ａの下端により導光シート１上面が押圧され、それに伴い可動接点３の略ドーム状の中央部が押圧され、さらに、所定の押圧力が加わると、可動接点３が下方へ弾性反転し、可動接点３の下面中央が中央固定接点６Ａに接触し、電気的に接続された状態となり、逆に、ダイアルボタン５５または操作ボタン５６への押圧力を解除すると、弾性復帰力によって可動接点３が上方へ弾性反転し、可動接点３の下面中央が中央固定接点６Ａから離れて、中央固定接点６Ａと外側固定接点６Ｂが電気的に切断された状態となることは、実施の形態１と同様である。
【００８１】
また、実施の形態１と同様に、中央固定接点６Ａと外側固定接点６Ｂが電気的に接続あるいは切断された状態を電子回路（図示せず）で判断し、当該電子回路により、第１の発光素子２７あるいは第２の発光素子２８の発光が制御される。
【００８２】
この第１の発光素子２７が発光するよう制御されると、実施の形態１で説明したように、第１の発光素子２７から発した光は第１の導光体６１の右端から入射されて、導光体６１内を反射しながら左方へ進み、この光が導光体６１上面の照光部２３で拡散され反射する。
【００８３】
次に、複数の照光部２３で拡散された後、第１の導光体６１内を進む光は、左端のインク充填部６３に充填されたインクにより、黒色のインクであれば吸収され、白色のインクであれば反射されるので、第１の導光体６１内を進む光は十分に減衰され、第２の導光体６２内に光が入射することを防ぐことが出来る。
【００８４】
また、一方、電子回路（図示せず）により、第２の発光素子２８に対し、電源が供給され、第２の発光素子２８が発光した場合においても、実施の形態１で説明したのと同様に、第２の導光体６２左端から入射された光は、第２の導光体６２内に入射して、導光体６２内を反射しながら右方へ進み、導光体６２上面の照光部２３で拡散され反射して、透光部５５Ａを下方から照光する。
【００８５】
さらに、第２の導光体６２内を進む光は複数の照光部２３で拡散された後、右端のインク充填部６３に充填されたインクにより反射あるいは吸収され、第１の導光体６１内に光が入射することを防ぐことが出来る。
【００８６】
すなわち、発光素子２７、２８から発光される光が異なる導光体に入射することを避けるために、インク充填部６３により遮蔽部が構成されているため、発光素子２７、２８から発した光は当該遮蔽部により十分に減衰され、発光素子２７が発した光によりダイアルボタン５５の上面が照光されることを避けることができ、発光素子２８が発した光により操作ボタン５６の上面が照光されることを避けることができるものである。
【００８７】
このような動作を行うスイッチ７０は例えば図３において、二つ折り携帯電話４５の固定筐体５１に内蔵されて使用されるものであるが、二つ折り携帯電話４５を使用した際のダイアルボタン５５及び操作ボタン５６の照光動作については、実施の形態１と同様であるので詳細な説明は省略する。
【００８８】
また、インク充填部６３の形成方法としては、スクリーン印刷など他の印刷方法によって形成しても、あるいは有色の樹脂を用いて、溝部の形状に樹脂を成形したものを嵌め込んで形成しても良く、これらの方法によっても、ディスペンサを用いてインク充填部６３を形成したのと同様に、導光体間での光の伝達を抑制する効果が得られる。
【００８９】
さらに、以上の説明では、第１の導光体６１と第２の導光体６２の間に略コの字形状のインク充填部６３を設けたものとして説明したが、インク充填部６３の形状は略コの字形状に限定されるものではなく、第１の導光体６１と第２の導光体６２が共に矩形で離間して配置され、その間にインク充填部６３が形成される等の構成としても本発明の実施は可能である。
【００９０】
なお、インク充填部６３を設ける代わりに、図８で示すように第１の導光体６１および第２の導光体６２の端部にインクを塗布し、あるいはインクを塗布したフィルムを貼り付けることによりインク塗布部８８を設けても良く、これによれば、インク塗布部８８とスリット８９により遮蔽部を形成するため、インク塗布部８８により光を反射吸収し、さらにスリット８９で光を拡散するため、導光体６１、６２間での光の伝達を抑制するのに適した可動接点体を提供し得る。
【００９１】
このように本実施の形態によれば、光透過性の第１の導光体と、光透過性の第２の導光体との間にインク充填部などを設けることにより遮光手段を構成しているので、他方の導光体の照光部で各導光体から漏洩した光により照光することなく、第１の導光体と第２の導光体の照光部を異なるタイミングで照光することができ、簡易な構成で、多様な照光が可能な導光シートを提供し得るものである。
【００９２】
また、本実施の形態によれば、ベースシートの下方に導電金属薄板製の可動接点を挟むようにセパレータを貼り付ける第１の工程と、上記ベースシート上から熱プレスすることにより、ベースシートと可動接点を密着させた後、ベースシート上に第１の導光体と第２の導光体を形成する第２の工程と、上記溝部にインクを充填あるいは塗布する第３の工程から可動接点体を製造しているため、ベースシート上でインク充填部を所定の位置にばらつき無く形成することが出来、それにより簡易な構成で、多様な照光が可能な導光シートの使用に適した可動接点体の製造方法を提供し得るものである。
【００９３】
なお、上述の実施の形態では、導光シートは２枚に分割され、第１の導光体及び第２の導光体から構成されているが、３枚以上で構成した場合にも、各導光体の間に遮光手段を設けることにより、各導光体の間で光を遮断する効果を得ることができ、簡易な構成で、多様な照光が可能な導光シートを用いたスイッチを提供し得るものである。
【産業上の利用可能性】
【００９４】
本発明による可動接点体の製造方法によれば、一枚の導光シートから隔離形成された第１の導光体と第２の導光体がベースシート上に配された構成の可動接点体を容易に生産することができ、その可動接点体は、簡易な構成で、多様な照光が可能なものとして提供でき、各種電子機器の操作用として有用である。
【図面の簡単な説明】
【００９５】
【図１】本発明の実施の形態１によるスイッチの断面図
【図２】本発明の実施の形態１による導光シートの斜視図
【図３】本発明を使用した携帯電話の斜視図
【図４】本発明の実施の形態２によるスイッチの断面図
【図５】熱プレス実施時の可動接点体の断面図
【図６】本発明の実施の形態２による可動接点体の斜視図
【図７】型により溝を作成する場合の可動接点体の断面図
【図８】実施の形態２による他の実施の形態のスイッチの断面図
【図９】従来の発明の一実施の形態によるスイッチの断面図
【図１０】従来のスイッチを使用した携帯電話の斜視図
【符号の説明】
【００９６】
１  導光シート
１Ａ  照光部
２、２Ａ、２Ｂ  ベースシート
３  可動接点
４  可動接点体
５  配線基板
６  固定接点
６Ａ  中央固定接点
６Ｂ  外側固定接点
７  発光素子
１５  スイッチ
２１  第１の導光体
２２  第２の導光体
２３  照光部
２４  スリット
２５  減衰部
２７  第１の発光素子
２８  第２の発光素子
３５  導光シート
３６  可動接点体
４０  スイッチ
４１  携帯電話筐体内の第１の導光体位置
４２  携帯電話筐体内の第２の導光体位置
４５  二つ折り携帯電話
５１  固定筐体
５２  可動筐体
５３  スピーカー
５４  表示手段
５５  ダイアルボタン
５５Ａ  透光部
５５Ｂ  遮光部
５５Ｃ  表示部
５６  操作ボタン
５７  マイク
５８  リング状操作部
５８Ａ  透光部
５８Ｂ  遮光部
５９  円形操作部
５９Ａ  透光部
５９Ｂ  遮光部
６１  第１の導光体
６２  第２の導光体
６３  インク充填部
６５  導光シート
６６  可動接点体
７０  スイッチ
７１  粘着層
７２、７２Ａ  セパレータ
７３  一次仕掛品
７４  プレス台
７５  ゴム板
７６  型
７７  導光シート
７７Ａ  第１の導光体
７７Ｂ  第２の導光体
８０  二次仕掛品
８１  基材
８２  金属刃
８３  型
８４  溝部
８８  インク塗布部
８９  スリット
【図１】
0005239355.tif 000002
【図２】
0005239355.tif 000003
【図３】
0005239355.tif 000004
【図４】
0005239355.tif 000005
【図５】
0005239355.tif 000006
【図６】
0005239355.tif 000007
【図８】
0005239355.tif 000008
【図９】
0005239355.tif 000009
【図１０】
0005239355.tif 000010
【図７】
0005239355.tif 000011